【事件の表示】
　平成　１年特許願第１１１０１８号「カラー画像通信システム」拒絶査定に対する審判事件［平成　２年１１月２８日出願公開、特開平　２−２８８４６７］について、次のとおり審決する。
【結　論】
　本件審判の請求は、成り立たない。
【理　由】
 １．経緯・本件発明
　本件出願は、平成１年４月２７日の出願であって、平成８年４月２６日付け、平成１０年４月１３日付けおよび平成１１年７月３０日付け補正によれば、本件請求項１に係る発明は、
「送信者は送信者の好みに応じたカラー画像を簡単に送信することができ、受信者は受信者の用途に応じて受信画像に対して色調整を簡単に行いカラー画像を形成することができるカラー画像通信システムを提供すること」を目的・効果とし、
その請求項１に記載されたとおりの下記の構成により特定されるカラー画像通信システムにある。
　「（１）カラー画像情報を送信するカラー画像送信装置と、
　カラー画像情報を受信しカラー画像形成を行うカラー画像受信装置で構成されるカラー画像通信システムであって、前記カラー画像送信装置は、カラー画像情報を記憶する記憶手段と、前記カラー画像情報に対して色調整し、カラー画像受信装置に送信する送信手段と、前記カラー画像情報に対して色調整し、該色調整されたカラー画像情報に基づくカラー画像を表示する送信画像表示手段と、前記送信画像表示手段に表示されたカラー画像に基づき所望のカラー画像を得るための色調整パラメータを設定する第１の設定手段と、前記表示されたカラー画像に基づき設定された色調整パラメータに運動して、前記送信手段における色調整を制御する第１の制御手段とを有し、前記カラー画像受信装置は、前記送信手段により送信されたカラー画像情報を受信する受信手段と、前記受信したカラー画像情報に対して色調整し、カラー画像を形成するカラー画像形成手段と、前記受信したカラー画像情報に対して色調整し、該色調整されたカラー画像情報に基づき前記カラー画像形成手段によって形成されるカラー画像を表示する形成画像表示手段と、前記表示されたカラー画像に基づき所望のカラー画像を得るための色調整パラメータを設定する第２の設定手段と、前記形成画像表示手段に表示されたカラー画像に基づき設定された色調整パラメータに連動して、前記カラー画像形成手段における色調整を制御する第２の制御手段とを有することを特徴とするカラー画像通信システム」。
　
２．刊行物記載発明
　原査定の拒絶の理由に引用された特開昭６２−２７２７５５号公報（以下、「刊行物１」という。）には、原画像の色情報を色修正してその結果を監視できるようにした画像処理装置に関し、「画像処理回路である色修正回路においては、その色修正回路の定数が適当であるかどうかは、一度送信してみて、受信機で受信し、再生してみないと判断ができず、そのために大変時間を要し、受信機がない場合は、色調整のための調整は、不可能に近かった」との認識に基づいて、「画像メモリの任意の点に対して色修正演算をし、その結果をモニタ上で数値および色として監視できるようにした画像処理装置」を目的とし、
「５０は画像入力部、５１は各色画像信号をそれぞれＡ／Ｄ変換するＡ／Ｄ変換器、（中略）５６はフレームメモリの指定した内容をＤ／Ａ変換するＤ／Ａ変換器、５７は画像モニタ、（中略）６０は画像信号をアナログ信号に変換するＤ／Ａ変換器、（中略）６３は伝送路、（中略）６７はフレームメモリ、（中略）１０３はＣＰＵ１０６の制御部、１０４は色修正演算部、（中略）ＳＷ５〜ＳＷ１０はスイッチ制御部６６により制御され、色修正を行うオン・オフスイッチである」（第３頁左下欄１６行〜同右下欄１３行）、「画像入力部５０からは、カメラあるいはスキャナ等から、入力された画像信号を赤（Ｒ）、緑（Ｇ）、青（Ｂ）に色分解して出力される。この画像入力部５０から出力されるアナログ色信号Ｒ、Ｇ、Ｂはサンプリング発生回路５２からのサンプリング信号間隔でＡ／Ｄ変換器５１でＡ／Ｄ変換され、そのＡ／Ｄ変換された各色信号がフレームメモリ６７のＲ、Ｇ、Ｂに書き込まれる。一方、そのフレームメモリに蓄えられた画像信号は高速Ｒ／Ｗアドレス設定回路５３で指定したフレームメモリ内容をＤ／Ａ変換器５６にてアナログ映像信号に変換し、同期信号とともに画像モニタ５７に導かれ、フレームメモリ内の映像信号をモニタ５７に表示する。」（第３頁右下欄１４行〜第４頁左上欄７行）、「次に、１点送信モードスイッチＳＷ５がオンのときは、スイッチＳＷ４がＡ側接点に接続された、つまり、映像色修正がオンの場合に相当する。スイッチ制御部６６により設定された色修正の係数に従って演算処理部１０４で演算されて、色修正が加えられる。色修正された信号は同様にＤ／Ａ変換器６０、変調器６１，画像処理増幅器６２を経て伝送路６３へ送り出される。なお、演算処理部１０４で演算されたデータは制御部１０３によりインターフェース１０１を介してメモリ６７に書き込まれる。」（第４頁右上欄５行〜１６行）、「第２図は（中略）色修正演算部１０４における色修正の演算のブロック図である。（中略）、２０５は下色除去部、」（第４頁右上欄１７行〜第４頁左下欄３行）、「スイッチＳＷ１０がオンの場合のマスキング処理演算部２０３において計算された信号Ｃ、Ｍ、Ｙから最小値Ｂｋにシアン、マゼンタ、イエローの各下色除去係数ＵＣＣ、ＵＣＭおよびＵＣＹを掛け合わせた値をそれぞれ引き、濃度輝度変換部２０６で変換処理されて、上述の第１図のＤ／Ａ変換器６０に導かれ変調器６１，画像信号増幅器６２を経て伝送路６３へ送り出される。」（第４図右下欄９行〜１７行）、「イニシャライズフラグがセットされている場合には、ステップＳ９に進み色修正データスイッチＳＷ１０がオンか否かを判別し、オンの場合にはステップＳ１０でカーソルの右上の４Ｘ４ドットの画素を読み出すように制御部１０３は伝送同期信号発生回路５５を介して、読み出しアドレス設定回路５４に信号を送って制御部１０３内部のメモリに取り込み、さらにステップＳ１１で色修正演算部１０４において演算した結果をインターフェース１０１を介してメモリの上述した４Ｘ４ドットの位置に書き込む。次いでステップＳ１１’で演算した結果のＲ、Ｇ、Ｂの値を第４図に示す様に表示を行うためメモリ６７に書き込む。」（第５頁右上欄１０行〜左下欄２行）、とする発明が記載されている。
３．対比・判断
　本件請求項１に係る発明と上記刊行物１記載発明とを対比するに、機能からみて、
　刊行物１記載発明の「画像処理装置」は、本件請求項１に係る発明の「カラー画像送信装置」に相当し、刊行物１記載発明の「フレームメモリ６７」は、本件請求項１に係る発明の「カラー画像情報を記憶する記憶手段」に相当し、刊行物１記載発明の「色修正演算部１０４を含むＣＰＵ１０６と、Ｄ／Ａ変換器６０、変調器６１，画像信号増幅器６２および伝送路６３」は、本件請求項１に係る発明の「カラー画像情報に対して色調整し、カラー画像受信装置に送信する送信手段」に相当し、刊行物１記載発明の「色修正演算部１０４を含むＣＰＵ１０６と、フレームメモリ６７、Ｄ／Ａ変換器５６およびモニター５７」は、本件請求項１に係る発明の「カラー画像情報に対して色調整し、色調整されたカラー画像情報に基づくカラー画像を表示する送信画像表示手段」に相当し、刊行物１記載発明の「色修正データ出力スイッチＳＷ１０」は、本件請求項１に係る発明の「送信画像表示手段に表示されたカラー画像に基づき所望のカラー画像を得るための色調整パラメータを設定する第１の設定手段」に相当し、刊行物１記載発明の「色修正演算部１０４の下色除去部２０５および濃度輝度変換部２０６」は、本件請求項１に係る発明の「表示されたカラー画像に基づき設定された色調整パラメータに連動して、送信手段における色調整を制御する第１の制御手段」に相当するので、
両者は、「「カラー画像情報を送信するカラー画像送信装置」「で構成されるカラー画像通信システムであって、前記カラー画像送信装置は、カラー画像情報を記憶する記憶手段と、前記カラー画像情報に対して色調整し、カラー画像受信装置に送信する送信手段と、前記カラー画像情報に対して色調整し、該色調整されたカラー画像情報に基づくカラー画像を表示する送信画像表示手段と、前記送信画像表示手段に表示されたカラー画像に基づき所望のカラー画像を得るための色調整パラメータを設定する第１の設定手段と、前記表示されたカラー画像に基づき設定された色調整パラメータに運動して、前記送信手段における色調整を制御する第１の制御手段とを有」「するカラー画像通信システム」」で一致し、
（１）本件請求項１に係る発明が、「「カラー画像情報を受信しカラー画像形成を行うカラー画像受信装置で構成されるカラー画像通信システムであって、」「カラー画像受信装置は、送信手段により送信されたカラー画像情報を受信する受信手段と、受信したカラー画像情報に対して色調整し、カラー画像を形成するカラー画像形成手段と、受信したカラー画像情報に対して色調整し、該色調整されたカラー画像情報に基づき前記カラー画像形成手段によって形成されるカラー画像を表示する形成画像表示手段と、表示されたカラー画像に基づき所望のカラー画像を得るための色調整パラメータを設定する第２の設定手段と、形成画像表示手段に表示されたカラー画像に基づき設定された色調整パラメータに連動して、カラー画像形成手段における色調整を制御する第２の制御手段とを有する」「カラー画像通信システム」」の構成を有するのに対し、上記刊行物１記載発明はそのような構成を有しない点、で相違する。
　相違点（１）について審究するに、本件請求項１に係る発明の上記相違点（１）のカラー画像受信装置は、受信手段は別として、その余の構成、即ち、カラー画像形成手段、形成画像表示手段、設定手段および制御手段が、上記刊行物１記載発明のカラー画像送信装置のものと機能的に変わらないものといえる。しかも、受信装置が受信手段を有することは当該分野において明らかなことである。また、同様な機能を備えたカラー画像送信装置およびカラー画像受信装置を回線を介して接続するカラー画像通信システムは、例えば原査定に引用した特開平１−１０８８６４号公報に示されるように、具体的には、「グラフィックコントロール部１２は、（中略）ＲＡＭ１１に記憶されている画像データに各種処理を施す。」（第２頁左下欄１行〜５行）、「モデム２６は送信データを変調し、また、受信データを復調する。」（第２頁右下欄１５行）、「パーソナルコンピュータ１から転送されてくるカラー画像データをファクシミリアダプタ３により相手ファクシミリアダプタ３を介してパーソナルコンピュータ１へ送信する。」（第３頁左上欄４行〜８行）、として示されるように、周知事項である。
　してみれば、上記相違点（１）は、上記周知事項の適用により、当業者が容易に成し得たものといえる。
４．むすび
　以上のとおりであるから、本件請求項１に係る発明は、刊行物１記載発明および上記周知事項に基づいて当業者が容易に発明をすることができたものであるから、特許法第２９条２項の規定により、特許を受けることができない。
   よって、結論のとおり審決する。